(57)【要約】      （修正有）【課題】加工工程を簡易化して成形と同時に滑り防止層を形成した一体成型滑り防止床材を提供する。【解決手段】金型により、第一の層１１と内層１２及び第二の層１３が含まれる一体成型の基材板１０があり、上記内層や第一、二の層が、滑り防止層である。上記基材板の内層の中間から刃物で切り分け、それから、第一、二の層の表面に、外表層が設けられ、これにより、二枚の一体成型滑り防止床材が得られる。また、上記一体成型滑り防止床材の底面に、それぞれ、滑り防止層が来るようにして一体成型滑り防止床材とする。【選択図】図１
0003166322.tif 000002
【実用新案登録請求の範囲】
【請求項１】
第一の層と内層及び第二の層が含まれる一体成型の基材板があり、
上記第一、二の層が、滑り防止層であり、上記基材板の上記内層が、中間から、刃物により、第一内層と第二内層に切り分けられて、二枚の完全に同じである、一体成型からなる滑り防止床材になり、その一つの床材が、上記第一の層と上記第一内層からなり、上記第一内層の表面に、外表層が形成され、もう一つの床材が、第二の層と上記第二内層からなり、上記第二内層の表面に、外表層が形成され、一体成型からなる滑り防止床材の底面に、上記滑り防止層を有する、
ことを特徴とする一体成型滑り防止床材。
【請求項２】
上記滑り防止層の上記第一、二の層が、ゴムの滑り防止層であることを特徴とする請求項１に記載の一体成型滑り防止床材。
【請求項３】
上記ゴム滑り防止層の底面に、エンボスが設けられることを特徴とする請求項２に記載の一体成型滑り防止床材。
【請求項４】
上記外表層が、コルクからなる外表層であることを特徴とする請求項１に記載の一体成型滑り防止床材。
【請求項５】
上記外表層が、木目を有する外表層であることを特徴とする請求項１に記載の一体成型滑り防止床材。
【請求項６】
上記外表層が、ＰＶＣ表面にエンボスが設けられる外表層であることを特徴とする請求項１に記載の一体成型滑り防止床材。
【請求項７】
上記外表層が、表面にベリヤ板が貼られた外表層であることを特徴とする請求項１に記載の一体成型滑り防止床材。
【考案の詳細な説明】
【技術分野】
【０００１】
本考案は、床材の技術分野に関し、特に、成型と同時に滑り防止層が形成され、加工工程を節約することができる一体成型滑り防止床材に関する。
【背景技術】
【０００２】
従来のＰＶＣ発泡床材は、金型により発泡成型され、単一の材質からベース材であって、敷いた後、滑り防止の効果を有せず、容易に、変位するため、損害しやすくて、また、転がりやすい問題が残されている。
【０００３】
しかしながら、従来の発泡床材は、一次により発泡と滑り防止との機能を実現できず、その機能を追加する場合、余計に工程を行うだけでなく、粘着設備を増設しなければならなく、また、その信頼性も信頼できない恐れがある。
【０００４】
本考案者は、上記欠点を解消するため、慎重に研究し、また、学理を活用して、有効に上記欠点を解消でき、設計が合理である本考案を提案する。
【考案の開示】
【考案が解決しようとする課題】
【０００５】
本考案の主な目的は、金型により、第一の層と内層及び第二の層が含まれる一体成型の基材板があり、上記内層や第一、二の層が、滑り防止層であり、上記基材板の内層の中間から刃物で切り分け、それから、第一、二の層の表面に、外表層が設けられ、これにより、二枚の一体成型滑り防止床材が得られ、また、上記一体成型滑り防止床材の底面に、それぞれ、滑り防止層が設けられた一体成型滑り防止床材を提供する。  
【０００６】
本考案に係る一体成型滑り防止床材は、発泡成型するとともに、上記滑り防止層が形成されるため、余計に工程を追加することや粘着設備を増設することも必要せず、また、一体成型のため、信頼性が優れる。
【課題を解決するための手段】
【０００７】
請求項１の考案は、第一の層と内層及び第二の層が含まれる一体成型の基材板があり、上記第一、二の層が、滑り防止層であり、上記基材板の上記内層が、中間から、刃物により、第一内層と第二内層に切り分けられて、二枚の完全に同じである、一体成型からなる滑り防止床材になり、その一つの床材が、上記第一の層と上記第一内層からなり、上記第一内層の表面に、外表層が形成され、もう一つの床材が、第二の層と上記第二内層からなり、上記第二内層の表面に、外表層が形成され、一体成型からなる滑り防止床材の底面に、上記滑り防止層を有することを特徴とする一体成型滑り防止床材である。
【０００８】
請求項２の考案は、上記滑り防止層の上記第一、二の層が、ゴムの滑り防止層であることを特徴とする請求項１に記載の一体成型滑り防止床材である。
【０００９】
請求項３の考案は、上記ゴム滑り防止層の底面に、エンボスが設けられることを特徴とする請求項２に記載の一体成型滑り防止床材である。
【００１０】
請求項４の考案は、上記外表層が、コルクからなる外表層であることを特徴とする請求項１に記載の一体成型滑り防止床材である。
【００１１】
請求項５の考案は、上記外表層が、木目を有する外表層であることを特徴とする請求項１に記載の一体成型滑り防止床材である。
【００１２】
請求項６の考案は、上記外表層が、ＰＶＣ表面にエンボスが設けられる外表層であることを特徴とする請求項１に記載の一体成型滑り防止床材である。
【００１３】
請求項７の考案は、上記外表層が、表面にベリヤ板が貼られた外表層であることを特徴とする請求項１に記載の一体成型滑り防止床材である。
【００１４】
以下、図面を参照しながら、本考案の特徴や技術内容について、詳しく説明するが、それらの図面等は、参考や説明のためであり、本考案は、それによって制限されることが無い。
【考案を実施するための形態】
【００１５】
図１乃至図５のように、本考案は、金型により一体成型される基材板１０があり、上記基材板１０には、第一の層１１と内層１２及び第二の層１３が含まれ、上記内層１２や上記第一、二の層１１、１３は、滑り防止層であり、上記基材板１０は、内層１３の中間から刃物により、第一内層１２１と第二内層１２２に切り分けられ、これにより、二枚の完全に同じである、一体成型からなる滑り防止床材が得られる。
【００１６】
その一つの床材は、上記第一の層１１と上記第一内層１２１とがあり、その第一の層１１が、滑り防止層であれば、上記第一内層１２１の表面に、更に、外表層１４が設けられる。また、第一内層１２１が、滑り防止層であれば、第一の層１１の表面に、外表層１４が設けられる。
【００１７】
もう一つの床材は、上記第二の層１３と上記第二内層１２２とがあり、その第二の層１３が、滑り防止層であれば、上記第二内層１２２の表面に、更に、外表層１４が設けられる。また、第二内層１２２が、滑り防止層であれば、第二の層１３の表面に、外表層１４が設けられる。
【００１８】
上記滑り防止層は、ゴムからなる滑り防止層でも良い。
【００１９】
上記ゴム滑り防止層の底面に、エンボスが設けられても良い。
【００２０】
上記外表層１４は、コルクからなる外表層１４でも良い（図２のように）。
【００２１】
上記外表層１４は、木目を有する外表層１４でも良い（図３のように）。
【００２２】
上記外表層１４は、ＰＶＣ表面にエンボスが設けられた外表層１４であっても良い（図４のように）。
【００２３】
上記外表層１４は、表面にベリヤ板が貼られた外表層１４であっても良い（図５のように）。
【００２４】
そのため、本考案は、より進歩的かつより実用的で、法に従って実用新案登録請求を出願する。
【００２５】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【図面の簡単な説明】
【００２６】
【図１】本考案の一つの実施例の側面図
【図２】本考案の滑り防止床材の立体概念図
【図３】本考案の他の滑り防止床材の立体概念図
【図４】本考案の更に他の滑り防止床材の立体概念図
【図５】本考案の更に他の滑り防止床材の立体概念図
【符号の説明】
【００２７】
１０  基材板
１１  第一の層
１２  内層
１２１  第一内層
１２２  第二内層
１３  第二の層
１４  外表層    
【図１】
0003166322.tif 000003
【図２】
0003166322.tif 000004
【図３】
0003166322.tif 000005
【図４】
0003166322.tif 000006
【図５】
0003166322.tif 000007
【手続補正書】
【提出日】平成22年12月17日(2010.12.17)
【手続補正１】
【補正対象書類名】実用新案登録請求の範囲
【補正対象項目名】請求項１
【補正方法】変更
【補正の内容】
【請求項１】
滑り防止層から成る第一の層と発泡成型層から成る内層及び滑り防止層から成る第二の層から成る一体成型の基材板であり、
上記基材板の上記内層を、第一層側と第二層側の中間から、刃物により、第一内層側と第二内層側に切り分けられて、二枚の完全に同じである一体成型からなる滑り防止床材とし、その一つの滑り防止床材の内層切削面に外表層が形成され、もう一つの床材滑り防止床材の内層切削面に外表層が形成され、それぞれを一体成型からなる滑り防止層としたことを特徴とする一体成型滑り防止床材。